(57)【要約】【課題】構造床上に配置される支柱の床パネル受け台座を互いに選択的に連結して強度の大きな際根太支持装置を提供する。【解決手段】構造床から所定の高さ位置で壁に沿って配置される際根太を支持するための支持部材が、壁に接着剤等で固定されて際根太を弾性的に支持する弾性支持表面とを備えている。支持部材は全体としてＬ字型断面部分を持ち、際根太の壁に対向する面および構造床に対向する面を支持する支持表面を持つ。支持部材は、弾性体とこれを支持する本体と別体で構成しても、一体の弾性部品として構成しても良い。弾性支持部材には際根太上の床パネルおよび上床の少なくともいずれか一方と壁との間に挿入されている延長部分を設けることもできる。際根太と床との間に際根太を支持する高さ調節可能な支柱を設けても良い。この際根太支持装置を用いた際根太支持方法も開示されている。【選択図】図１
2006291497.tif 000002
【特許請求の範囲】
【請求項１】
構造床から所定の高さ位置で壁に沿って配置される際根太を支持するための支持部材を備え、
上記支持部材が、壁に固定される固定表面と、際根太を弾性的に支持する支持表面とを備えていることを特徴とする際根太支持装置。
【請求項２】
上記支持部材は全体としてＬ字型断面部分を持ち、上記支持表面は、上記際根太の壁に対向する面を支持する第１支持表面を持つ第１部分と、上記際根太の構造床に対向する面を支持する第２支持表面を持つ第２部分とを有することを特徴とする請求項１記載の際根太支持装置。
【請求項３】
上記支持部材は、構造材である本体と、この本体上に設けられて上記支持表面を構成する弾性体とを備えたものであることを特徴とする請求項１あるいは２記載の際根太支持装置。
【請求項４】
上記支持部材は、際根太を防振作用をもって支持できる材質でできた単一部品であることを特徴とする請求項１あるいは２記載の際根太支持装置。
【請求項５】
上記支持部材は、際根太を支持する本体と、この本体上に設けられて防振作用を持つ弾性体とを備えていることを特徴とする請求項１あるいは２記載の際根太支持装置。
【請求項６】
上記支持部材は、上記第１部分から連続して延びて、上記固定表面を拡大する第３部分を備えていることを特徴とする請求項１記載の際根太支持装置。
【請求項７】
上記第３部分は、上記第１部分から上記第２部分とは反対側に延びていて、上記際根太上の床パネルおよび上床の少なくともいずれか一方と壁との間に挿入されることを特徴とする請求項６記載の際根太支持装置。
【請求項８】
上記支持部材により支持された際根太と床との間に設けられて際根太を支持する支柱を更に備えていることを特徴とする請求項１記載の際根太支持装置。
【請求項９】
上記支柱は、高さ調節可能であることを特徴とする請求項８記載の際根太支持装置。
【請求項１０】
構造床から所定の高さ位置で壁に沿って配置される際根太を支持するための際根太支持方法であって、
壁に固定される固定表面と、際根太を弾性的に支持する支持表面とを備えた支持部材を複数個用意し、
上記支持部材の高さ位置を測定しながら、上記支持部材を上記壁に一定高さ位置で配置し、
上記支持部材を上記固定用面で上記壁に固定し、
上記壁に固定された上記支持部材の上記支持表面上に際根太を乗せて支持する
ことを特徴とする際根太支持方法。
【請求項１１】
上記支持部材は、上記壁に接着剤により固定されることを特徴とする請求項１０記載の際根太支持方法。
【請求項１２】
上記支持部材により支持された上記際根太と床との間に支柱を配置して上記際根太を支持することを特徴とする請求項１０記載の際根太支持方法。
【発明の詳細な説明】
【技術分野】
【０００１】
本発明は際根太支持装置に関し、特に構造床から離間した一定レベルの位置に際根太を支持してその上に床パネルを配置できるようにする際根太支持装置に関するものである。
【背景技術】
【０００２】
本発明の関する際根太支持装置として従来知られているものは、支持脚を介して床スラブのような床基材より浮いた状態で根太が支持されるものである。壁面と近接して配置される根太の端部を際根太の上方に配置し、縦片と横片からなる防振ゴムを根太と際根太との間に配設し、防振ゴムの横片を根太の下面と際根太の上面に配置し、防振ゴムの縦片を根太の端面と壁面との間に配置するものである（例えば特許文献１参照）。
【０００３】
また、壁際に設置した際根太の上に上床を貼設し、際根太を壁に直接接触させないように際根太と壁との間にパッキン材を設ける床の構造において、パッキン材をゴム製の逆Ｌ字形とし、際根太の上面をパッキン材の横辺の下面に当接させたものも知られている（例えば特許文献２参照）。
【０００４】
【特許文献１】特開平９−４１６４４号公報（図１）
【特許文献２】特開平９−６８９９７号公報（図２）
【発明の開示】
【発明が解決しようとする課題】
【０００５】
特許文献１記載のような従来の際根太支持装置に於いては、床基材上に各束を立ててその上に際根太が乗せられている。防振ゴムは際根太と根太との間および根太と壁との間に設けられている。このため、際根太の床基材上の高さ位置は、各束の高さによって定められてしまい、際根太の高さ位置の調整が困難であって、施工に時間が掛かり、作業に熟練を要するという不都合があった。
【０００６】
特許文献２記載のような従来の際根太支持装置に於いては、際根太を所望高さに配置するために高さ調節可能なねじジャッキ式の支持ボルトを用いている。高さ調節の作業自体は比較的容易ではあるが、それでも調節作業が必要であり、また際根太に加工が必要であって高価である。また、パッキン材は際根太を所定位置および高さに配置した後で、際根太と壁との間に挿入するものであるので、挿入間隙の大きさによっては、一旦位置調節が完了した際根太の位置の再調節をしなければならない場合があって、施工作業に長時間が必要であった。
【０００７】
従ってこの発明の目的は、際根太を壁に取り付けた支持部材によって支持することができて、作業が容易で短時間でできる際根太支持装置および方法を提供することである。
【課題を解決するための手段】
【０００８】
この発明の際根太支持装置は、構造床から所定の高さ位置で壁に沿って配置される際根太を支持するための支持部材を備え、上記支持部材が、壁に固定される固定表面と、際根太を弾性的に支持する支持表面とを備えている。
【０００９】
また、この発明の際根太支持方法は、構造床から所定の高さ位置で壁に沿って配置される際根太を支持するための際根太支持方法であって、壁に固定される固定表面と、際根太を弾性的に支持する支持表面とを備えた支持部材を複数個用意し、上記支持部材の高さ位置を測定しながら、上記支持部材を上記壁に一定高さ位置で配置し、上位支持部材を上記固定用面で上記壁に固定し、上記壁に固定された上記支持部材の上記支持表面上に際根太を乗せて支持する際根太支持方法である。
【発明を実施するための最良の形態】
【００１０】
実施の形態１．
本発明の際根太支持装置は、図１および図２に示すように、コンクリート下床等の構造床１から所定の高さ位置に、壁２に沿って際根太３を配置して支持するための際根太支持装置であって、この際根太３の上に根太あるいは床パネル４と共に上床５を載置するためのものである。図示の際根太３は比較的幅が広く薄い板状のものである。
【００１１】
際根太支持装置は、構造床１から所定の高さ位置で壁２に固定された支持部材６を備えている。この実施形態に於いては、支持部材６は、図１から明らかなように、全体としてＴ字型の断面形状を持つ板状部材であって、図で左に９０°回転されてＴ字型の横棒に相当する部分が壁に並行に配置されている。支持部材６は、構造材である本体７と、この本体７上に設けられて第１および第２支持表面８および９を構成する断面がほぼＬ字型の板状の弾性体１０とを備えている。第１支持表面８は際根太３の壁２に対向する面（垂直面）を支持する支持表面であり、第２支持表面９は際根太の構造床に対向する面（水平面）を支持する支持表面である。換言すれば、弾性体１０は、壁２に沿って延びた第１部分１１と、この第１部分１１に直角で構造床１に沿って延びた第２部分１２とを持っている。第１部分１１の長さは際根太３の厚さとほぼ同じであり、第２部分１２の長さは際根太３の荷重を受けて支持できるだけの長さがあればよい。
【００１２】
支持部材６の本体７は、Ｌ字型の弾性体１０を支持するように、全体としてＬ字型の断面部分１３を持っている。Ｌ字型断面部分１３は、壁２に沿って延びて、壁２に固定される固定表面１４を持つ第１部分１５と、この第１部分１５に対して直角に延びて、際根太３を弾性体１０を介して支持する支持表面１６を持つ第２部分１７とを備えている。Ｌ字型断面部分１３の第１部分１５からは、第２部分１７を越えてさらに延長された第３部分１８が連続的に延びており、支持部材６の全体の形状が先に説明した通りのＴ字型になっている。この第３部分１８は、上述の固定表面１４を実質的に拡大する部分となっていて、支持部材６が壁２により確実に固定できるようになる。
【００１３】
支持部材６の本体７の材質は、際根太を支持するのに充分な強度を持つ材質であって、例えばＨＳ硬度７０から８５の硬質ゴムであるが、適当なプラスチックあるいは金属でも良い。本体７上に設けられて防振作用を持つ緩衝材の作用をする弾性体１０の材質は、例えばＨＳ硬度５０のゴムであるが、適当な弾性を持つプラスチック等でも良い。
【００１４】
支持部材６の本体７の第１部分１５と第３部分１８とで形成された、連続した平面状の固定表面１４は、固定表面１９接着剤１９によって壁２に接着される。必要があれば釘２０を用いて固定をより強固なものにすることもできる。釘２０を用いる場合に備えて支持部材６の本体７の第１部分１５と第３部分１８とに、釘穴２１を設けて置くと良い。
【００１５】
図示の実施形態の場合には、際根太３の支持をより確実かつ安定したものにするために、際根太支持装置は更に、支持部材６により支持された際根太３と床１との間に設けられて際根太３を支持する支柱２５を備えている。この支柱２５は、図示のような公知の市販されているものでよく、ねじジャッキによって高さ調節可能にされたものが望ましい。
【００１６】
このようにして支持された際根太３の上には床パネル４が載せられ、床パネル４の上には上床５が載せられる。床パネル４および上床５の端面と壁２との間には、防振材としてゴム製の弾性体２６が挿入されていて、床パネル４や上床５から壁２に振動が伝わらぬようにしてある。
【００１７】
このような際根太支持装置を用いて、際根太３を構造床１から所定の高さ位置で壁２に沿って配置して支持するためには、先ず、上に詳しく説明したように壁２に固定される固定表面１４と、際根太３を弾性的に支持する支持表面９とを備えた支持部材６を複数個用意する。際根太３を設けるべき部屋のほぼ中央の位置で構造床１の上に回転する光ビームを用いた水準器（図示してない）を配置して、際根太３を水平面内に配置できるように準備する。この水準器から投射された光ビームは壁２上に一定の高さ位置で基準線を描き、この基準線を基に支持部材６を位置決めすることができる。
【００１８】
水準器からの光ビームを利用して、支持部材６の本体７の壁２上の高さ位置を測定し調整しながら、支持部材６の本体７を壁に一定高さ位置で配置し、支持部材６の固定表面１４に塗布した接着剤１９で壁２に固定する。必要に応じて釘２０を用いて固定をより強固にする。支持部材６の本体７のＬ字型断面部分１３上にＬ字型の弾性体１０を接着剤で固着して載せる。
【００１９】
このようにして壁２に固定された弾性体１０を含む支持部材６の第１支持表面８上に際根太３の下面を乗せ、第２支持表面９に際根太３の壁側側面を接触させると、際根太３は壁２に沿って、一定の高さ位置に支持されることになり、この上に床パネル４あるいは根太（図示してない）を載置して更に上床５を載せて水平な床を形成する。床パネル４と壁２との間および上床５と壁２との間には弾性体２６を挿入して床パネル４および上床５の移動を防止すると共に振動が直接壁２に伝わらないようにしてある。
【００２０】
必要に応じて、図１に示すように、支持部材６によって支持された際根太３と床１との間に支柱２５を配置して際根太３を支持することもできる。この支柱２５は、際根太３を支持部材６上に載置した後で、挿入してもよいし、支持部材６と支柱２５とを並置して置いて、その上に際根太３を載置することもできる。支柱２５の高さ調整はねじジャッキ機構のネジ部分を回転させることにより容易に実現できる。
【００２１】
この際根太支持装置は、支持部材を壁に所定の高さ位置で取り付け、この支持部材によって際根太を支持するものであるので、際根太を支持部材上に載置しさえすれば際根太の高さ位置が定まり、困難な高さ位置の調整が不要であって、施工が簡単で短時間にできるという所望の有利な効果がある。
また、防振のための弾性体は際根太の据付前に配置するものであるので、挿入間隙の再調節が必要になることがなく、施工が短時間ですむ。
【００２２】
実施の形態２．
図３および図４に示す際根太支持装置に於いては、支持部材２８が、際根太３を防振作用をもって支持できる、例えばＨＳ硬度７０乃至８５の硬度をもつゴム等の材質でできた単一部品であって、図２に示すような本体７と弾性体１０との２部品からなるものではない。支持部材２８の全体の形状はＬ字型であって、全体としてＬ字型の断面部分２９を持っている。Ｌ字型断面部分２９は、壁２に沿って延びて、壁２に固定される固定表面３０を持つ第１部分３１と、この第１部分３１に対して直角に延びて、際根太３を支持する支持表面３２を持つ第２部分３３とを備えている。Ｌ字型断面部分２９の第１部分３１の先端は、さらに連続的に延長されて際根太３上の床パネル４を支持する第３部分３４となり、支持部材２８の全体形状が先に説明した通りのＬ字型になっている。第３部分３４の先端は更に延長されて比較的薄い延長部分３５となっている。
【００２３】
この際根太支持装置によって際根太３とその上の床パネル４および上床５とを支持したとき、支持部材２８の第１部分３１は際根太３と壁２との間に介在してその間の防振作用をし、第３部分３４は床パネル４と壁２との間に介在してその間の防振作用をし、薄い延長部分３５は上床５と壁２との間に介在してその間の防振作用をする。第３部分３４および第４部分３５はまた、上述の固定表面３０を実質的に拡大する部分となっていて、釘穴３６を通して壁２に打ち込まれた釘３７と協働する接着剤３８により、支持部材２８が壁２により確実に支持できるようにされている。その他の構成は図１および図２に示す際根太支持装置と同様である。
【００２４】
換言すれば、支持部材２８の第３部分３４は、第１部分３１から反対側に（即ち第２部分３３の無い側の第１部分３１の端部から連続して）延びていて、際根太３上の床パネル４および上床５の少なくともいずれか一方（図示の例の場合には両者）と壁２との間に挿入されている。
【００２５】
この際根太支持装置に於いては、支持部材が単一部品であって、壊れにくく、壁への取付作業が極めて容易である。また、支持部材の延長部分が床パネルや上床の防振作用をもする。
【００２６】
実施の形態３．
図５および図６に示す際根太支持装置に於いては、支持すべき際根太３９がほぼ正方形断面の角材である。また、際根太３９を支持する支持部材４０が、図１および図２に示す支持部材６の本体７を倒立させた形の本体４１と、それに対応して変形させた弾性体４２とで構成されている。更に、支柱４３の上部支持台座が省略されている。その他の構成は図１および図２に示す際根太支持装置と同じである。
【００２７】
実施の形態４．
図７および図８に示す際根太支持装置に於いては、際根太３９が角材であり、それを支持する支持部材４５が延長部分の無い一体型のＬ字型で、床パネル４および上床５は支持せずに際根太３９だけを支持するように構成されている。床パネル４および上床５と壁２との間の弾性体２６は支持部材４５とは別体である。また、支柱４７が木材ブロック等の高さ調節のできないものである。その他の構成は図５に示すものと同様である。
【００２８】
以上の説明では４つの実施の形態に関連して本発明を説明したが、本発明は必要に応じて各実施の形態の様々な構造上の特徴を様々に組み合わせて実施することができる。
【図面の簡単な説明】
【００２９】
【図１】本発明の第１実施形態の際根太支持装置を示す概略断面図である。
【図２】図１の際根太支持装置の支持部材の分解斜視図である。
【図３】本発明の第２実施形態の際根太支持装置を示す概略断面図である。
【図４】図３の際根太支持装置の支持部材を斜視図である。
【図５】本発明の第３実施形態の際根太支持装置を示す概略断面図である。
【図６】図５の際根太支持装置の支持部材の分解斜視図である。
【図７】本発明の第４実施形態の際根太支持装置を示す概略断面図である。
【図８】図３の際根太支持装置の支持部材を斜視図である。
【符号の説明】
【００３０】
１  構造床
２  壁
３、３９  際根太
４  床パネル
５  上床
６、２８、４０、４５  支持部材
７、４１  本体
８  第１支持表面
９  第２支持表面
１０、４２  弾性体
１１、３１  第１部分
１２、３２  第２部分
１３、２９  Ｌ字型断面部分
１４、３０  固定表面
１６、３２  支持表面
１８、３３  第３部分
２５、４３、４７  支柱
３４  第４部分
３５  延長部分。
【図１】
2006291497.tif 000003
【図２】
2006291497.tif 000004
【図３】
2006291497.tif 000005
【図４】
2006291497.tif 000006
【図５】
2006291497.tif 000007
【図６】
2006291497.tif 000008
【図７】
2006291497.tif 000009
【図８】
2006291497.tif 000010